(57)【要約】【課題】遊技機やコイン状部材貸機等の機器の前面に設けた受け皿から板状部材や金属棒状部材等を挿入して、送出口を通してコイン状部材の送出装置内のコイン状部材の計数手段である通過検出部が誤作動状態に操作された場合、コイン状部材の只盗りを確実に防止できるものを提供するものである。【解決手段】複数の分離孔を形成した送出ロータの回転によって分離孔のコイン状部材が１枚ずつ外方通路へ押し出され、バネ付勢された可動体を押し退けつつ通過し、押し出される先行のコイン状部材によって可動体が押されて退避する度に外方通路に突出と退避動作を行なう規制部材を設け、可動体が正規の動作時間を越えて退避状態を継続するとき、規制部材が突出状態を継続して後続のコイン状部材が可動体へ到達することを阻止すること。【選択図】図３
2008171136.tif 000002
【特許請求の範囲】
【請求項１】
コイン状部材の収容部の底部に配置され複数の分離孔を形成した送出ロータの回転によって前記分離孔のコイン状部材が１枚ずつ外方通路へ押し出され、この押し出されたコイン状部材が到達する位置にコイン状部材の直径より狭い通路幅を保つようにバネ付勢された可動体を設け、コイン状部材が前記バネ付勢に抗して可動体を押して退避させつつ通過する際、前記可動体の復帰力によって前記コイン状部材が送出通路へ弾き飛ばされる構成であるコイン状部材送出装置において、押し出される先行のコイン状部材の通過による前記可動体の退避と復帰の往復動作の度に前記外方通路に突出と退避の動作を行なう規制部材を設け、コイン状部材の正規の送出動作では、前記可動体の往復動作によるコイン状部材の通過を阻止せず、前記可動体が正規の動作時間を越えて退避状態を継続するとき、前記規制部材が突出状態を継続して後続のコイン状部材が前記可動体へ到達することを阻止することを特徴とするコイン状部材送出装置。
【請求項２】
コイン状部材の収容部の底部に配置され複数の分離孔を形成した送出ロータの回転によって前記分離孔のコイン状部材が１枚ずつ外方通路へ押し出され、この押し出されたコイン状部材が到達する位置にコイン状部材の直径より狭い通路幅を保つようにバネ付勢された可動体を設け、コイン状部材が前記バネ付勢に抗して可動体を押して退避させつつ通過する際、前記可動体の復帰力によって前記コイン状部材が送出通路へ弾き飛ばされる構成であるコイン状部材送出装置において、押し出される先行のコイン状部材の通過による前記可動体の退避と復帰の往復動作の度に前記外方通路に突出と退避の動作を行なう規制部材を設け、コイン状部材の正規の送出動作では、前記可動体の往復動作によるコイン状部材の通過を阻止せず、前記可動体が正規の動作時間を越えて退避状態を継続するとき、前記規制部材が突出状態を継続して後続のコイン状部材が前記分離孔に収容された状態を継続して前記送出ロータと共に回転するように構成したことを特徴とするコイン状部材送出装置。
【請求項３】
コイン状部材の収容部の底部に配置され複数の分離孔を形成した送出ロータの回転によって前記分離孔のコイン状部材が１枚ずつ外方通路へ押し出され、この押し出されたコイン状部材が到達する位置にコイン状部材の直径より狭い通路幅を保つようにバネ付勢された可動体を設け、コイン状部材が前記バネ付勢に抗して可動体を押して退避させつつ通過する際、前記可動体の復帰力によって前記コイン状部材が送出通路へ弾き飛ばされる構成であるコイン状部材送出装置において、押し出される先行のコイン状部材の通過による前記可動体の退避と復帰の往復動作の度に前記外方通路に突出と退避の動作を行なう規制部材を設け、コイン状部材の正規の送出動作では、前記可動体の往復動作によるコイン状部材の通過を阻止せず、前記可動体が正規の動作時間を越えて退避状態を継続するとき、前記規制部材が突出状態を継続して前記送出ロータの回転をロック状態とする位置で後続のコイン状部材の押し出しを阻止することを特徴とするコイン状部材送出装置。
【請求項４】
前記規制部材は、前記可動体が退避作動されることによって前記外方通路へ突出し、前記可動体の復帰によって前記外方通路から退避するよう前記可動体と連動して作動することを特徴とする請求項１乃至３のいずれかに記載のコイン状部材送出装置。
【請求項５】
前記可動体が退避作動される度に作動する検出スイッチを設け、このスイッチによって送出されるコイン状部材の枚数を計数することを特徴とする請求項１乃至４のいずれかに記載のコイン状部材送出装置。
【請求項６】
前記可動体の復帰力によって送出通路へ弾き飛ばされるコイン状部材の枚数を計数する検出スイッチを前記送出通路に設けたことを特徴とする請求項１乃至４のいずれかに記載のコイン状部材送出装置。
【発明の詳細な説明】
【技術分野】
【０００１】
本発明は、ベース部材上にコイン状部材の収容部を設け、ベース部材上に配置した送出ロータの回転によって収容部のコイン状部材を１枚ずつ送出する送出装置に関する。
【背景技術】
【０００２】
貯蔵容器に貯留した硬貨、遊技用メダル等のコイン状部材を貯蔵容器の底部に設けたロータの回転によって１枚ずつ送出する送出装置がある。その代表的な構成として、硬貨、遊技用メダル等のコイン状部材を貯蔵する貯蔵容器（ホッパ）の底部には、電動機装置によって一方向へ回転する円盤状の送出ロータが設けられ、この送出ロータには複数の分離孔が略等間隔に同心円上に配置され、この送出ロータの回転に伴って、複数の分離孔にそれぞれコイン状部材が順次入りつつ、分離孔に入ったコイン状部材は、分離孔の底部から送出ロータの円周方向へ１枚ずつ押し出されて、送出口からコイン状部材が１枚ずつ送出される。（例えば、特許文献１参照）。
【０００３】
この特許文献１のコイン状部材送出装置は、コイン状部材の送出口が前面に向く状態で遊技機やコイン状部材貸機等の機器内に設置され、この送出口から送出されるコイン状部材は、ガイド樋を経て、この機器の前面に設けた受け皿へ導入するように構成される。この場合、機器の前面に設けた受け皿から送出口へ挿入される針金等によって計数手段等が操作され、コイン状部材送出装置からコイン状部材が騙し取られることがあるため、これの防止策として、送出口の大きさを制限するカバー部材を螺子により取り付けるものである。
【特許文献１】特開２００４−３１８５９５号公報
【発明の開示】
【発明が解決しようとする課題】
【０００４】
この特許文献１のコイン状部材送出装置は、そのコイン状部材の送出口の大きさを制限するカバー部材を設けるため、このカバー部材がない場合に比して、コイン状部材の騙し取り防止効果はある。しかし、このカバー部材にはコイン状部材が通過する長穴状の通過穴が形成されているため、機器の前面に設けた受け皿から挿入された長尺の板体や針金のような金属等の棒状部材等を操作して、この長穴状の通過穴を通過させることによって、計数手段等が操作され、コイン状部材送出装置の誤作動によって、コイン状部材が騙し取られることが起こり得る。
【０００５】
本発明は、このような点に鑑みて、遊技機やコイン状部材貸機等の機器の前面に設けた受け皿から板状部材や金属棒状部材等を挿入して、送出口を通してコイン状部材の送出装置内が不正操作され、コイン状部材の計数手段である検出部が操作された場合、コイン状部材の只盗りを確実に防止できる構成を提供するものである。
【０００６】
本発明におけるコイン状部材は、円形状硬貨、円形状メダル等を含めた総称であり、以下に示す実施例では、コイン状部材を円形状のメダルとして記載する。また、薄片とは、紙幣を含むことは勿論のこと、プリペイドカードやその他のカードであって、遊技メダルの供給を受けるための有価カードを含めた総称であり、紙幣やカードの材質は問わない。
【課題を解決するための手段】
【０００７】
第１発明のコイン状部材送出装置は、コイン状部材の収容部の底部に配置され複数の分離孔を形成した送出ロータの回転によって前記分離孔のコイン状部材が１枚ずつ外方通路へ押し出され、この押し出されたコイン状部材が到達する位置にコイン状部材の直径より狭い通路幅を保つようにバネ付勢された可動体を設け、コイン状部材が前記バネ付勢に抗して可動体を押して退避させつつ通過する際、前記可動体の復帰力によって前記コイン状部材が送出通路へ弾き飛ばされる構成であるコイン状部材送出装置において、押し出される先行のコイン状部材の通過による前記可動体の退避と復帰の往復動作の度に前記外方通路に突出と退避の動作を行なう規制部材を設け、コイン状部材の正規の送出動作では、前記可動体の往復動作によるコイン状部材の通過を阻止せず、前記可動体が正規の動作時間を越えて退避状態を継続するとき、前記規制部材が突出状態を継続して後続のコイン状部材が前記可動体へ到達することを阻止することを特徴とする。
【０００８】
第２発明のコイン状部材送出装置は、コイン状部材の収容部の底部に配置され複数の分離孔を形成した送出ロータの回転によって前記分離孔のコイン状部材が１枚ずつ外方通路へ押し出され、この押し出されたコイン状部材が到達する位置にコイン状部材の直径より狭い通路幅を保つようにバネ付勢された可動体を設け、コイン状部材が前記バネ付勢に抗して可動体を押して退避させつつ通過する際、前記可動体の復帰力によって前記コイン状部材が送出通路へ弾き飛ばされる構成であるコイン状部材送出装置において、押し出される先行のコイン状部材の通過による前記可動体の退避と復帰の往復動作の度に前記外方通路に突出と退避の動作を行なう規制部材を設け、コイン状部材の正規の送出動作では、前記可動体の往復動作によるコイン状部材の通過を阻止せず、前記可動体が正規の動作時間を越えて退避状態を継続するとき、前記規制部材が突出状態を継続して後続のコイン状部材が前記分離孔に収容された状態を継続して前記送出ロータと共に回転するように構成したことを特徴とする。
【０００９】
第３発明のコイン状部材送出装置は、コイン状部材の収容部の底部に配置され複数の分離孔を形成した送出ロータの回転によって前記分離孔のコイン状部材が１枚ずつ外方通路へ押し出され、この押し出されたコイン状部材が到達する位置にコイン状部材の直径より狭い通路幅を保つようにバネ付勢された可動体を設け、コイン状部材が前記バネ付勢に抗して可動体を押して退避させつつ通過する際、前記可動体の復帰力によって前記コイン状部材が送出通路へ弾き飛ばされる構成であるコイン状部材送出装置において、押し出される先行のコイン状部材の通過による前記可動体の退避と復帰の往復動作の度に前記外方通路に突出と退避の動作を行なう規制部材を設け、コイン状部材の正規の送出動作では、前記可動体の往復動作によるコイン状部材の通過を阻止せず、前記可動体が正規の動作時間を越えて退避状態を継続するとき、前記規制部材が突出状態を継続して前記送出ロータの回転をロック状態とする位置で後続のコイン状部材の押し出しを阻止することを特徴とする。
【００１０】
第４発明は、第１発明乃至第３発明のいずれかに記載のコイン状部材送出装置において、前記規制部材は、前記可動体が退避作動されることによって前記外方通路へ突出し、前記可動体の復帰によって前記外方通路から退避するよう前記可動体と連動して作動することを特徴とする。
【００１１】
第５発明は、第１発明乃至第４発明のいずれかに記載のコイン状部材送出装置において、前記可動体が退避作動される度に作動する検出スイッチを設け、このスイッチによって送出されるコイン状部材の枚数を計数することを特徴とする。
【００１２】
第６発明は、第１発明乃至第４発明のいずれかに記載のコイン状部材送出装置において、前記可動体の復帰力によって送出通路へ弾き飛ばされるコイン状部材の枚数を計数する検出スイッチを前記送出通路に設けたことを特徴とする。
【発明の効果】
【００１３】
第１発明では、コイン状部材の正規の送出動作においては、規制部材が退避して後続のコイン状部材の通過を阻止しないため、コイン状部材の安定送出が可能である。そして、操作棒を用いた悪戯によって、正規の動作時間を越えて可動体が退避状態に操作されると、規制部材が突出状態を継続するため、後続のコイン状部材が規制部材に衝突し、可動体へ到達することが阻止されるようになる。このため、悪戯によるコイン状部材の只盗りを確実に防止できるものとなる。このような送出不良状態は、コイン状部材の送出枚数を計数するための検出スイッチでの検出を利用することができる。例えば、先行のコイン状部材をこの検出スイッチが検出してから、後続のコイン状部材をこの検出スイッチが検出するまでの時間が正規の時間を超えることによって、送出不良と判断する制御を採用することによって、この送出不良状態を検知し、それを報知することができる。
【００１４】
第２発明では、コイン状部材の正規の送出動作においては、規制部材が退避して後続のコイン状部材の通過を阻止しないため、コイン状部材の安定送出が可能である。そして、操作棒を用いた悪戯によって、正規の動作時間を越えて可動体が退避状態に操作されると、規制部材が突出状態を継続するため、後続のコイン状部材が規制部材に衝突し、それによって後続のコイン状部材が送出ロータの分離孔に収容された状態を維持して、送出ロータが回転を継続し、後続のコイン状部材が可動体へ到達することが阻止される。このため、悪戯によるコイン状部材の只盗りを確実に防止できるものとなる。このような送出不良状態は、コイン状部材の送出枚数を計数するための検出スイッチでの検出を利用することができる。例えば、先行のコイン状部材をこの検出スイッチが検出してから、後続のコイン状部材をこの検出スイッチが検出するまでの時間が正規の時間を超えることによって、送出不良と判断する制御を採用することによって、この送出不良状態を検知し、それを報知することができる。
【００１５】
第３発明では、コイン状部材の正規の送出動作においては、規制部材が退避して後続のコイン状部材の通過を阻止しないため、コイン状部材の安定送出が可能である。そして、操作棒を用いた悪戯によって、正規の動作時間を越えて可動体が退避状態に操作されると、規制部材が突出状態を継続するため、後続のコイン状部材が規制部材に衝突し、それによって後続のコイン状部材が送出ロータの回転をロック状態とする。このため、悪戯によるコイン状部材の只盗りを確実に防止できるものとなる。このような送出不良状態の検出は、上記のように、コイン状部材の送出枚数を計数するための検出スイッチでの検出を利用する方式もあるが、他の方式として、送出ロータの駆動モータのロック電流を検知することによって、送出不良と判断すると共に、この駆動モータを停止させる制御を採用することによって達成できる。
【００１６】
第４発明では、第１発明乃至第３発明の効果に加えて、規制部材を可動体と別個配置の構成において同期作動する構成とするものに比して、規制部材は可動体と連動して作動する構成であるため、両者の動作タイミングを取り易く、正規の送出動作と不正に対する送出阻止動作を安定して行なえる構成となる。
【００１７】
第５発明では、第１発明乃至第４発明の効果に加えて、可動体が退避作動される度に作動する検出スイッチによって、送出されるコイン状部材の枚数を計数するため、正規に送出通路へ送出されるコイン状部材の枚数検知が正確に行なえるものとなる。
【００１８】
第６発明では、第１発明乃至第４発明の効果に加えて、送出通路に設けた検出スイッチによって、可動体によって送出通路へ弾き飛ばされるコイン状部材の検出となるため、正規に送出通路へ送出されるコイン状部材の枚数検知が正確に行なえるものとなる。
【発明を実施するための最良の形態】
【００１９】
本発明のコイン状部材送出装置は、コイン状部材の収容部の底部に配置され複数の分離孔を形成した送出ロータの回転によって前記分離孔のコイン状部材が１枚ずつ外方通路へ押し出され、この押し出されたコイン状部材が到達する位置にコイン状部材の直径より狭い通路幅を保つようにバネ付勢された可動体を設け、コイン状部材が前記バネ付勢に抗して可動体を押して退避させつつ通過する際、前記可動体の復帰力によって前記コイン状部材が送出通路へ弾き飛ばされる構成であるコイン状部材送出装置において、押し出される先行のコイン状部材の通過による前記可動体の退避と復帰の往復動作の度に前記外方通路に突出と退避の動作を行なう規制部材を設け、コイン状部材の正規の送出動作では、前記可動体の往復動作によるコイン状部材の通過を阻止せず、前記可動体が正規の動作時間を越えて退避状態を継続するとき、前記規制部材が突出状態を継続して後続のコイン状部材が前記可動体へ到達することを阻止するものであり、本発明の実施例を以下に記載する。
【実施例１】
【００２０】
次に、薄片をその代表的な紙幣で表し、コイン状部材を円形状の遊技用メダルとした本発明の実施の形態について説明する。図１は本発明に係るコイン状部材送出装置の上面斜視図、図２は本発明に係るコイン状部材送出装置の貯蔵容器（ホッパ）と送出部カバーを外した上面斜視図、図３は本発明に係るコイン状部材送出装置の貯蔵容器（ホッパ）と送出部カバーを外した上面図、図４は本発明に係るコイン状部材送出装置の送出ロータとロータガイドリングの関係を示す断面図、図５は本発明に係る送出ロータの分離孔部分の裏側斜視図、図６は本発明に係るコイン状部材の通過阻止装置の説明用平面図、図７は本発明に係るコイン状部材の通過阻止装置の待機状態を説明する側面図、図８は本発明に係るコイン状部材の通過阻止装置の動作状態を説明する側面図、図９は本発明に係る検出部を示す斜視図、図１０は本発明に係るコイン状部材の検出部の構成を断面で示す側面図、図１１は本発明に係る検出部をメダルが通過する通過時間とクロックパルスの関係を示す説明図、図１２は本発明に係るコイン状部材送出装置を備えた遊技機の開扉正面斜視図、図１４は本発明に係るコイン状部材送出装置を備えたメダル貸機と遊技機の併設状態を示す正面図、図１５は本発明に係る他の形態のメダル貸機の正面斜視図である。
【００２１】
本発明の実施の形態を図に基づき説明する。図１２において、１は遊技機であり、スロットマシン、スロットルマシン、或いはパチスロ機と称される遊技機を示す。以下、コイン状部材は、遊技用のメダル１００として説明する。遊技機１内には、遊技機１で使用するコイン状部材の一つである遊技用のメダル１００を収納し、必要に応じて所定数の遊技用のメダル１００を送出する機能のコイン状部材送出装置２が設置されている。
【００２２】
コイン状部材送出装置２は、基材として、金属製の架台３の上に合成樹脂製のベース部材４が取り付けられており、金属製の架台３の左右両側フランジ部がネジ３１によって遊技機１の金属壁に固定されることによって、遊技機１内に設置される。コイン状部材送出装置２の稼動によって、後述の貯蔵容器（ホッパ）５Ｐ内のコイン状部材１００が静電気を帯びるため、この静電気を逃がすために、貯蔵容器（ホッパ）５Ｐ内の導電部材と電気的に接続された金属製の架台３が、導電性ネジ３１によって遊技機１の金属壁に固定され、この静電気が逃げる仕組みである。コイン状部材送出装置２は、ネジ３１を外して取っ手６９によって前方へ引き出せる。
【００２３】
遊技機１では所定のメダル１００が使用されるため、遊技機１の前面に設けたメダル投入口に遊技に必要な最低１枚のメダル１００が投入された状態において、遊技機１の前面に設けたスタートレバー１Ａを操作することにより、３個のリール１Ｃが回転する。この状態でタイミングを見て、遊技機１の前面に設けた３個のストップボタン１Ｂを押すことにより、リール１Ｃが順次停止し、表面に表示された各リール１Ｃの図柄や数字の組み合わせに応じて入賞メダルが、払い出し口からメダル受け皿１Ｄに払い出される仕組みである。
【００２４】
コイン状部材送出装置２は以下の構成をなす。即ち、金属製の架台３の上に配置されるベース部材４上には、円形状のメダル１００を収納する収容部５を形成する合成樹脂製の貯蔵容器（ホッパ）５Ｐが、ベース部材４に対してネジ又はその他の係止装置によって着脱自在に取り付けられている。貯蔵容器（ホッパ）５Ｐは、上面と下面にそれぞれ開口５Ａ、５Ｂを有し、下面開口５Ｂは略円形をなす。この下面開口５Ｂに対応してベース部材４上には、複数の分離孔１０を略等間隔に形成した（図示のものは６個の分離孔１０を備える）合成樹脂製の送出ロータ７が配置され、送出ロータ７は、ベース部材４の下側に取り付けた電動機装置８の回転軸９の先端部に取り付けられている。この構成によって、収容部５の底部に送出ロータ７が配置された状態となる。電動機装置８は、電動機とそれによって回転される複数の歯車の組み合わせで構成された減速機構によって、回転軸９を所定回転数で回転させる構成である。
【００２５】
回転軸９の先端部に取り付けられた送出ロータ７は、図４に示すように、ベース部材４の上面に形成した円形状の窪み４Ａに配置され、窪み４Ａの表面から若干離れた状態で電動機装置８によって、図３に示すようにＲ方向へ回転する構成である。送出ロータ７の上面周縁部及び周囲面と若干の間隔を存して送出ロータ７の上面周縁部と周囲面を覆うようにロータガイドリング２０が設けられている。ロータガイドリング２０は、窪み４Ａを取り囲むように窪み４Ａよりも高い位置に形成した円形状の段部４Ｂに載置され、ベース部材４に形成した係止爪部２１によってベース部材４の所定位置に保持される。ロータガイドリング２０は、送出ロータ７の上面周縁部を覆うリング部２０Ａから外方へ広がるように傾斜したリング部２０Ｂを形成しており、図４に示すように、貯蔵容器（ホッパ）５Ｐの円形状の下面開口５Ｂが、リング部２０Ａ、２０Ｂに沿うように、貯蔵容器（ホッパ）５Ｐがベース部材４に取り付けられる。
【００２６】
送出ロータ７が回転軸９の先端部に取り付けられて窪み４Ａに配置された状態で、ロータガイドリング２０の周縁部に複数箇所形成した切り欠き２０Ｃを各係止爪部２１に対応させるように、ロータガイドリング２０を段部４Ｂに載置し、この状態で図２及び図３において、ロータガイドリング２０を時計方向へ回動させることによって、図２、図３及び図４に示すように、ロータガイドリング２０が係止爪部２１の下側に潜り込んで係止されると共に、ロータガイドリング２０の端部２０Ｄがベース部材４に形成したストッパ段部２２に当接して、ロータガイドリング２０が所定位置に保持される。
【００２７】
送出ロータ７は、同心円上に複数の分離孔１０（図示のものは６個の分離孔を有するが、これに限定されない）を略等間隔に配置した円盤状をなし、各分離孔１０は、メダル１００の直径よりも若干大きい直径でもって送出ロータ７を上下に円形状に貫通し、上側周縁部には回転方向Ｒの下流側に下向きの低く傾斜状に広がった案内面１１を形成している。また、各分離孔１０の下側周縁部には、送出ロータの周縁に臨む開放出口１０Ａを形成し、この開放出口１０Ａの回転方向Ｒの下流側には、図５に示すように、送出ロータ７の下側面には、送出ロータ７の周縁へ延びる流線型の押し出し壁１２を形成している。
【００２８】
この構成によって、送出ロータ７の回転によって、貯蔵容器（ホッパ）５Ｐのメダル１００は、１枚ずつ分離して分離孔１０に倒伏状態（平面状態）で順次入り込む。この分離孔１０に入り込んだメダル１００は、分離孔１０の底部においてベース部材４の上面である窪み４Ａの表面に当接し、送出ロータ７の回転に伴ってベース部材４の上面４Ａを滑りつつ、図３に１００（イ）で示す状態から１００（ロ）で示す状態へと、押し出し壁１２によって、送出ロータ７の下側面とベース部材４の上面４Ａとの間に形成される外方通路８０へ押し出される。
【００２９】
外方通路８０は、ベース部材４の上面４Ａと同一面でもって、送出ロータ７の下側面とベース部材４の上面４Ａとの間に形成され、押し出し壁１２によって押されたメダル１００は、ロータガイドリング２０の下側を通って、外方通路８０の側壁を形成するように送出ロータ７の外方に配置した固定側壁１５の案内面１５Ｂに当接しつつ、送出ロータ７の外方に向かって図３で上方へ押し出される。
【００３０】
ベース部材４の上面４Ａには、分離孔１０に対応する回転軌跡上に、円錐状の送出案内ピン７０が設けられている。このため、送出ロータ７の下面には、この送出案内ピン７０が衝突しないように、ベース部材４との間に回転軸９を中心とした円形の溝７１が形成されている。この送出案内ピン７０と固定側壁１５の案内面１５Ｂとの間隔は、図３に１００（ロ）で示すように、メダル１００の直径と等しいか、若干大きい間隔である。
【００３１】
このようにして送出ロータ７の外方へ押し出されたコイン状部材１００は、図３に１００（イ）で示す状態から１００（ロ）で示す状態へと外方通路８０を進み、
送出案内ピン７０とメダル１００の案内面１５Ｂとの間隔を通り抜けて、通路規制部８１へ到達する。通路規制部８１は、固定側壁１５との間隔がメダル１００の直径より狭い通路幅を保つようにバネ１７で付勢された可動体１６を設けている。メダル１００がこのバネ付勢に抗して可動体１６を押して退避させつつ通過する際、可動体１６の復帰力によってメダル１００が送出通路１３へ弾き飛ばされる構成である。
【００３２】
送出通路１３は、外方通路８０と交差する状態に形成され、その交差部が通路規制部８１となる。このため、通路規制部８１は送出通路１３の入口部に位置することとなる。送出通路１３の通路幅Ｔ１は、案内面１５Ｂと交差する固定側壁１５の先端の直線部１５Ａと、その対面側に固定側壁１５と並行に配置した固定側壁２６との間隔で形成される。この通路幅Ｔ１は、メダル１００が円滑に移動できるように、メダル１００の直径よりも若干大きい寸法に定めている。このため、通路規制部８１は、固定側壁１５のコーナ部と可動体１６とで、メダル１００の半径より大きく直径よりも小さい間隔の狭い通路幅を保つ間隔で形成される。
【００３３】
送出ロータ７から外方へ押し出されたコイン状部材１００が、スムースに送出通路１３へ移動するようにするために、外方通路８０と通路規制部８１と送出通路１３は、ベース部材４の上面４Ａと同一面になるように形成されている。なお、固定側壁１５は、耐磨耗性を考慮して金属製とし、実施例ではステンレススチールで構成している。ベース部材４の上面側には、送出ロータ７の分離孔１０に侵入したコイン状部材１００が接触する位置に静電気を逃がす導電部材３０を配置し取り付けている。導電部材３０は、送出ロータ７の回転によって分離孔１０内のコイン状部材１００と摩擦が生じるため、耐摩耗性に優れた材料で構成する必要があり、実施例ではステンレススチールで構成している。
【００３４】
可動体１６は、固定部１５に対して送出ロータ７の回転方向（Ｒ）前方側に位置し、通路規制部８１を通過するコイン状部材１００によって押し圧作動されるように、復帰作用バネ１７で付勢された状態に設けられている。可動体１６は、略Ｖ字状又は略Ｌ字状の可動アーム１９の中間部がベース部材４の上壁の下側に軸支持部１８で回転可能に支持され、図３と図６乃至図８に示すように、可動アーム１９の一方の腕辺に立設した軸１９Ａが、ベース部材４の上壁に形成したスリット４Ｓを貫通し、この貫通した軸１９Ａに回転可能に取り付けた円筒状のローラ１６Ａが通路規制部８１に突出状態で臨む。可動アーム１９の他方の腕辺は、一端がベース部材４に保持されたバネ１７の引っ張り力によって引っ張られており、それによって、可動体１６のローラ１６Ａは固定部１５との間にコイン状部材１００の半径より大きく直径よりも小さい間隔を有する通路規制部８１を形成している。可動アーム１９の他方の腕辺は、ベース部材４の下側に設けたメダル１００の枚数を検知するための検出部２３Ｗを作動する作動部１６Ｂとして作用する。
【００３５】
通路規制部８１を通過したメダル１００の枚数を検知するための検出部２３Ｗは、図９（イ）に示すように、合成樹脂製ホルダの上下辺に発光部２３Ｐと受光部２３Ｑが収納された構成の光スイッチであり、可動アーム１９がコイン状部材１００によって回動する前の状態（待機状態という）では、可動アーム１９の作動部１６Ｂが発光部２３Ｐから受光部２３Ｑへ到達する光通路から離れている。
【００３６】
上記の構成において、送出ロータ７の回転に伴って分離孔１０の底部に入り込んだメダル１００は、送出ロータ７の回転に伴って、送出ロータ７の下側へ潜り込んで押し出し壁１２によって押されつつ、開放出口１０Ａから送出ロータ７の外方へ外方通路８０を移動し、図３に１００（イ）で示す状態から１００（ロ）で示す状態へと進む。そして、送出案内ピン７０によって送出ロータ７の回転方向への移動が制限されつつ、固定側壁１５の案内面１５Ｂに沿って、送出案内ピン７０とメダル１００の案内面１５Ｂとの間隔を通り抜け、通路規制部８１へ到達する。通路規制部８１では、固定側壁１５と可動体１６のローラ１６Ａの間隔がメダル１００の直径より狭い通路幅を保つため、メダル１００がバネ１７の付勢に抗してローラ１６Ａを押し退けつつ通過する。この通過の際、可動体１６のバネ１７の復帰力によって、メダル１００が送出通路１３へ弾き飛ばされる。
【００３７】
このように、メダル１００が通路規制部８１を通過するとき、コイン状部材１００がローラ１６Ａに当接してバネ１７の引っ張り力に抗して可動アーム１９が回動することによって、前記待機状態にあった可動アーム１９の作動部１６Ｂが発光部２３Ｐから受光部２３Ｑへ到達する光通路を遮った状態となる。そして、メダル１００が通路規制部８１を通過したとき、可動アーム１９がバネ１７によって復帰するため、作動部１６Ｂが発光部２３Ｐから受光部２３Ｑへ到達する光通路を開放する。この受光部２３Ｑの動作によって、図１２に示すＰ２５の矩形状パルスが発生し、このパルスＰ２５の数を電装部６０に設けた制御部６１の計数部（図示せず）によって計数することによって、メダル１００の送出枚数がカウントされる仕組みである。この場合、メダル１０が検出部２３Ｗを通過する時間は、図１２に示す矩形状パルスＰ２５とクロックパルスのＡＮＤによるクロックパルス数を制御部６１で計数することによって判別できる。
【００３８】
この弾き飛ばされたメダル１００は、送出出口１４から送出される。これによって、図示の送出ロータ７では、１秒間に２回転して、１２枚のコイン状部材１００を連続して送出するような高速送出が行なえ、検出部２３Ｗでの安定した検出動作ができる。
【００３９】
このように、送出ロータ７の回転に伴ってメダル１００が１枚ずつ送出されるため、遊技客によって１回の遊技で使用される単位金額に応じて送出するメダル１００の所定枚数を予め設定しておけば、この計数値がこの所定枚数に達したとき、制御部６１によって電動機装置８の回転を停止するように構成すれば、安定した送出動作が得られる。
【００４０】
送出出口１４から送出されるメダル１００は、誘導樋（図示せず）を通って遊技機１の前面に設けた受け皿１Ｄへ導入される。このため、コイン状部材送出装置２は、図１２に示すように、メダル１００の送出出口１４が前面に向くように遊技機１内に設置される。この構成において、遊技客が遊技のために遊技機１のコイン状部材挿入口（図示せず）へ挿入されたメダル１００は、制御部６１に設けた選別計数装置を経てガイド樋６２を立った状態で転動しつつ、ガイド樋６２の出口６２Ａから貯蔵容器（ホッパ）５Ｐの上面開口５Ａの前面壁に形成した入口開口５Ｅから貯蔵容器（ホッパ）５Ｐ内へ収容される。
【００４１】
貯蔵容器（ホッパ）５Ｐは、入口開口５Ｅからオーバーフロー出口５Ｘに向けて低くなるように、樋状のオーバーフローガイド部材６３が傾斜設置されている。貯蔵容器（ホッパ）５Ｐ内が満杯状態になると、オーバーフローのメダル１００は、オーバーフローガイド部材６３を滑ってオーバーフロー出口５Ｘから回収ボックス６４へ収納される。
【００４２】
上記のように、コイン状部材送出装置２は、メダル１００の送出出口１４が前面に向くように遊技機１内に設置されるため、遊技機１の前面に設けた受け皿１Ｄから差し込まれた金属や合成樹脂等の板状や棒状の不正操作部材によって、送出出口１４を通して可動体１６のローラ１６Ａが押されて回動した退避状態のままに保持される虞がある。このような操作が行われると、可動体１６の往復動が阻止されるため、検出部２３Ｗでは、送出されるメダル１００の枚数の検出ができない。そのため、制御部６１の計数部による計数値が所定枚数に達せず、いつまでも電動機装置８が送出ロータ７を回転し、メダル１００の送出がいつまでも続くこととなり、所謂、不正にメダル１００が取り出されることとなる。
【００４３】
本発明では、このような不正操作部材によるメダル１００の只盗りを防止する構成を備えている。以下、この構成について図６乃至図８を参照して記載する。ベース部材４の上壁の下側には、中間部が軸支持部６７で回転可能に支持された規制部材６６を設けている。規制部材６６は、先端部に可動アーム１９によって駆動される作動部６６Ａを備え、後端部には外方通路８０に対応してベース部材４の上壁に形成した孔４Ｔに臨む突起部６６Ｂを備えており、突起部６６Ｂが孔４Ｔから外方通路８０へ突出するようにコイルバネ６８によって付勢されている。
【００４４】
突起部６６Ｂが孔４Ｔから外方通路８０へ突出するとき、送出ロータ７に当接しない状態であれば、外方通路８０に対応する孔４Ｔは、送出ロータ７の下面側に対応した位置であってもよいが、実施例では、図３に示すように、外方通路８０に対応する孔４Ｔの位置は、送出ロータ７の外周面を僅かに外れた場所に形成されている。
【００４５】
規制部材６６は、可動体１６と連動して作動するようにするために、メダル１００が通路規制部８１へ到達する前の待機状態では、図３の実線と、図６及び図７に示すように、ローラ１６Ａが支持された可動アーム１９の腕の上に先端の作動部６６Ａが乗り上がった状態であり、コイルバネ６８が圧縮され、突起部６６Ｂが外方通路８０へ突出しない退避状態となるように、突起部６６Ｂの先端が孔４Ｔ内に下降した状態である。
【００４６】
上記のように、送出ロータ７の回転に伴って順次押し出されるメダル１００は、通路規制部８１を通過するごとに、バネ１７の引っ張り付勢に抗してローラ１６Ａを押し退けつつ通過する。このローラ１６Ａの押し退けに伴って、図３の一点鎖線及び図８に示すように、規制部材６６の先端の作動部６６Ａが可動アーム１９の腕から外れるため、規制部材６６は、コイルバネ６８によって突起部６６Ｂが外方通路８０へ突出する状態に軸支持部６７を中心として回動する。
【００４７】
このメダル１００は図３に先行メダル１００（ハ）で示しており、メダル１００（ハ）の直径部が通路規制部８１を通過すると、可動体１６がバネ１７の引っ張り付勢の復帰力によって復帰すると共に、そのメダル１００（ハ）が可動体１６の復帰力によって送出通路１３へ弾き飛ばされる。このとき後続のメダル１００は図３に後続メダル１００（イ）で示しており、まだ規制部材６６の突起部６６Ｂには到達していない位置である。
【００４８】
可動体１６がバネ１７の引っ張り付勢の復帰力によって復帰することによって、規制部材６６の先端の作動部６６Ａが可動アーム１９の腕に再び乗り上げ、図７に示すように、規制部材６６は軸支持部６７を中心として、後続メダル１００（イ）が通路規制部８１へ到達する前の待機状態に復帰する。作動部６６Ａが可動アーム１９の腕にスムースに乗り上げるようにするために、作動部６６Ａの先端下面は先端に向けた傾斜面６６Ａ１を形成している。
【００４９】
送出ロータ７の回転に伴って、後続メダル１００（イ）が通路規制部８１へ到達し通過することによって、後続メダル１００（イ）も先行メダル１００（ハ）と同様の上記の動作が行なわれ、可動アーム１９の往復動作に伴って、規制部材６６が軸支持部６７を中心として往復回動する。
【００５０】
送出ロータ７の回転に伴って、このような動作が連続して行なわれることによって、順次、メダル１００が通路規制部８１を通過しつつ、送出通路１３へ弾き飛ばされる。このため、メダル１００の正規の送出動作では、可動体１６の正規の往復動作が行なわれ、メダル１００の送出に伴って規制部材６６が軸支持部６７を中心として往復回動し、規制部材６６の突起部６６Ｂが送出されるメダル１００の移動を阻止することなく、先行メダル１００（ハ）に続いて後続メダル１００（イ）が通路規制部８１を順次通過し、メダル１００の通過を阻止することなく、所定枚数のメダル１００が送出出口１４から送出される。
【００５１】
ここで、金属や合成樹脂等の板状や棒状の不正操作部材によって、送出出口１４を通して可動体１６のローラ１６Ａが押されて、図３の１６Ａ（イ）の状態及び図８に示すように、回動した状態のままに保持された場合、即ち、可動体１６が正規の動作時間を越えて退避状態を継続するとき、規制部材６６の突起部６６Ｂが外方通路８０へ突出した状態のままとなる。このため、後続メダル１００（イ）が規制部材６６の突起部６６Ｂに衝突し、通路規制部８１へ到達することを阻止する。
【００５２】
一つの実施例として、この阻止された後続メダル１００（イ）は、それ以上、外方通路８０を移動できず、分離孔１０に収容された状態を継続して送出ロータ７と共に回転するように構成している。このとき、後続メダル１００（イ）は、上記のようにバネ７２によって上方へ突出した状態に付勢された送出案内ピン７０に衝突し、送出案内ピン７０に乗り上げる状態となる。送出案内ピン７０に乗り上げたメダル１００（イ）が、この送出案内ピン７０を押し下げつつ送出案内ピン７０を通過し、それ以降のメダル１００も同様に通過できれば、この後続メダル１００（イ）とそれ以降のメダル１００も、分離孔１０に収容された状態を継続して、送出ロータ７と共に回転することとなる。
【００５３】
このように、可動体１６のローラ１６Ａが押されて、図３の１６Ａ（イ）の状態及び図８に示すように、回動した状態のままに保持された場合、即ち、可動アーム１９の作動部１６Ｂが発光部２３Ｐから受光部２３Ｑへ到達する光通路を遮ったままの状態となる。このため、正規の動作では、可動アーム１９の作動部１６Ｂの往復動作によって、発光部２３Ｐから受光部２３Ｑへ到達する光通路を遮る時間ＴＳは、略一定であるが、図８のように可動体１６が回動した状態のままに保持された場合の発光部２３Ｐから受光部２３Ｑへ到達する光通路を遮る時間（検出部２３Ｗを通過する時間であり、以下これをＴＹと称する）は、ＴＳに比してかなり長い時間となる。
【００５４】
メダル１０が検出部２３Ｗを通過する時間は、図１２に示す矩形状パルスＰ２５とクロックパルスのＡＮＤによるクロックパルス数を制御部６１で計数することによって判別できる。メダル１０が検出部２３Ｗを正規に通過時間パルスＰ２５の幅がこの時間ＴＳに相当するが、図３の１６Ａ（イ）の状態及び図８のように、可動体１６が回動した状態のままに保持された場合は、この矩形状パルスＰ２５の幅がこの時間ＴＹに相当し、ＴＳよりもかなり長くなる。このため、ＴＳ幅の矩形状パルスＰ２５とクロックパルスのＡＮＤによるクロックパルス数をカウントすれば、それが検出部２３Ｗをメダル１０が正規に通過する時間相当する。また、ＴＹ幅の矩形状パルスＰ２５とクロックパルスのＡＮＤによるクロックパルス数をカウントすれば、それが不正状態における時間に相当する。
【００５５】
このため、ＴＹ＞ＴＳまたはＴＹ≫ＴＳであることを制御部６１が判定することによって、メダル１００の送出不良と判断され、電動機装置８の電動機を停止制御すればよい。そして、適宜、警報装置を作動させるようにすればよい。
【００５６】
一つの実施例として、上記のようにバネによって上方へ突出した状態に付勢される送出案内ピン７０に後続メダル１００（イ）が衝突し、送出案内ピン７０に乗り上げた状態のままで停止し、所謂、送出ロータ７の回転をロック状態となる構成にすることもできる。この送出ロータ７のロック状態では、電動機装置８の電動機の電流が急増するため、この電動機の電流を検知装置で検知することによって、電装部６０に設けた制御部６１によって、メダル１００の送出不良と判断して、電動機装置８の電動機を停止制御すればよい。そして、適宜、警報装置を作動させるようにすればよい。
【００５７】
上記の構成では、可動アーム１９の作動部１６Ｂが検出部２３Ｗを作動することによって、メダル１００の枚数を検知しているが、これに替わる構成として図３に示すように、通路規制部８１から弾き飛ばされるメダル１００の枚数を計数する検出部２３を送出通路１３に設けることができる。
【００５８】
以下、このメダル１００の検出部２３を送出通路１３に設ける構成について説明する。検出部２３は、発光部２４Ａと受光部２５Ａの組み合わせ位置、及び発光部２４Ｂと受光部２５Ｂの組み合わせ位置を正確にするために、図３及び図９（ロ）に示すように、発光部２４Ａ、２４Ｂと受光部２５Ａ、２５Ｂとを合成樹脂製ホルダ２３Ａ内に収めた構成である。合成樹脂製ホルダ２３Ａは略コ字形をなし、その一方の辺である上辺２３Ａ１に発光部２４Ａ、２４Ｂが送出部１３に上方から臨むように、上手側（上流側）と下手側（下流側）の配置で内蔵され、上辺２３Ａ１に対抗する合成樹脂製ホルダ２３Ａの他方の辺である下辺２３Ａ２には、受光部２５Ａ、２５Ｂが送出通路１３に下方から臨むように、上手側（上流側）と下手側（下流側）の配置で内蔵されている。そして、合成樹脂製ホルダ２３Ａの発光部２４Ａ、２４Ｂから受光部２５Ａ、２５Ｂに至るそれぞれの光通路部分は、透明資材で構成された透明部２３Ｂを形成している。
【００５９】
通路規制部８１から弾き飛ばされるメダル１００が検出部２３を通過ごとに、発光部２４Ａ、２４Ｂから受光部２５Ａ、２５Ｂへ至るそれぞれの光通路が遮られ、メダル１００の枚数を電装部６０に設けた制御部６１の計数部（図示せず）によって計数する。
【００６０】
検出部２３における検出位置は、メダル１００の直径を外れた部位での検出としている。即ち、送出ロータ７から送出されるメダル１００が連なって通過する場合にも、１枚ずつの検出ができるようにするために、発光部２４Ａ、２４Ｂから受光部２５Ａ、２５Ｂへ至るそれぞれの光通路は、送出されるメダル１００の直径部位ではなく、直径部位から外れた位置、即ち、メダル１００の直径よりも短い部位での検出としている。このため、図１０に示すように、円形状のメダル１００の中心ＣＨを通る直径部位から固定側壁２６側に寄った位置ＡＨで検出するように、発光部２４Ａから受光部２５Ａへ至る光通路を定め、またメダル１００の中心ＣＨを通る直径部位から固定側壁２６側に寄った位置ＢＨで検出するように、発光部２４Ｂから受光部２５Ｂへ至る光通路を定めている。
【００６１】
また、検出部２３は一つの発光部２４Ａと一つの受光部２５Ａのみでもよいが、発光部２４Ａと受光部２５Ａ、及び発光部２４Ｂと受光部２５Ｂの二組で構成されるのは、検出精度を上げると共に、悪戯対策である。即ち、メダル１００がＹ１方向に通った場合の検出パルスを計数信号として制御部６１で採用し、悪戯によってＹ１方向と反対方向にメダル１００が押し込まれて通過した場合の検出パルスを不採用とすることによって、悪戯によって誤った計数がされないようにしている。検出部２３をこのような受光量の変化によって検知する方式に替えて、メダル１００が通過することによって生じる電気量（静電容量、誘起起電力、周波数など）の変化や又は磁気量の変化などを計測するものでもよい。
【００６２】
送出通路１３と検出部２３の部分は、合成樹脂製のカバー３２によって覆われている。カバー３２は、ベース部材４の上面に形成した係止部３３に下側に潜り込んで係止され、他端側はネジ３４によってベース部材４にネジ止めされる。このカバー３２の下面３２Ａと送出通路１３の上面１３Ａとの間隔Ｔ２が、メダル１００の厚さＴ０よりも若干大きい寸法になっている。これによって、固定側壁１５と固定側壁２６の間隔Ｔ１（メダル１００の直径方向の間隔）と、このカバー３２の下面３２Ａと送出通路１３の上面１３Ａとの間隔Ｔ２（メダル１００の厚さ方向の間隔）との間が、送出通路１３のコイン状部材通路の大きさである。そして、この送出通路１３のコイン状部材通路の出口が、メダル１００の送出口１４となる。
【００６３】
この構成において、金属や合成樹脂等の板状や棒状の不正操作部材によって、送出出口１４を通して検出部２３の光通路を遮ったままの状態にされる虞がある。このような操作がされると、検出部２３では、送出されるメダル１００の枚数の検出ができない。そのため、制御部６１の計数部による計数値が所定枚数に達せず、いつまでも電動機装置８が送出ロータ７を回転し、メダル１００の送出がいつまでも続くこととなり、所謂、不正にメダル１００が取り出されることとなる。
【００６４】
このため、正規の動作では発光部から受光部へ到達する光通路を遮る時間ＴＳは略一定であるが、不正操作された状態では、発光部から受光部へ到達する光通路を遮る時間ＴＹは、ＴＳに比してかなり長い時間となる。この場合も上記同様に、ＴＹ＞ＴＳまたはＴＹ≫ＴＳであることを制御部６１が判定することによって、メダル１００の送出不良と判断され、電動機装置８の電動機を停止制御すればよい。そして、適宜、警報装置を作動させるようにすればよい。
【００６５】
また、不正操作において、可動体１６のローラ１６Ａが押されて回動した状態のままに保持された場合には、上記同様に、規制部材６６の突起部６６Ｂが外方通路８０へ突出した状態のままとなる。このため、後続メダル１００（イ）が規制部材６６の突起部６６Ｂに衝突し、通路規制部８１へ到達することが阻止される。そして、後続メダル１００（イ）とそれ以降のメダル１００が、分離孔１０に収容された状態を継続して、送出ロータ７と共に回転する場合と、送出案内ピン７０に乗り上げた状態のままで停止し、送出ロータ７の回転がロック状態となる場合は、上記同様である。
【実施例２】
【００６６】
図１３には、可動体１６と規制部材６６の他の態様を示している。実施例１と同等機能部には同符号を付しており、図３に適用した状態で説明する。上記同様に、可動体１６は、固定部１５に対して送出ロータ７の回転方向（Ｒ）前方側に位置し、通路規制部８１を通過するコイン状部材１００によって押し圧作動されるように、復帰作用バネ１７で付勢された状態に設けられている。可動体１６は、略Ｖ字状又は略Ｌ字状の可動アーム１９の中間部がベース部材４の上壁の下側に軸支持部１８で回転可能に支持され、可動アーム１９の一方の腕辺に立設した軸１９Ａが、ベース部材４の上壁に形成したスリット４Ｓを貫通し、この貫通した軸１９Ａに回転可能に取り付けた円筒状のローラ１６Ａが通路規制部８１に突出状態で臨む。
【００６７】
更に、この可動アーム１９の一方の腕辺には、一端がベース部材４に保持されたバネ１７の引っ張り力によって引っ張られており、それによって、可動体１６のローラ１６Ａは固定部１５との間にコイン状部材１００の半径より大きく直径よりも小さい間隔を有する通路規制部８１を形成している。可動アーム１９の他方の腕辺は、ベース部材４の下側に設けたメダル１００の枚数を検知するための検出部２３Ｗを作動する作動部１６Ｂとして作用する。検出部２３Ｗは、図９の（イ）に示すように発光部２３Ｐから受光部２３Ｑへの光通路を可動アーム１９の作動部１６Ｂが遮断と開放を行う構成である。
【００６８】
ベース部材４の上壁の下側には、中間部が軸支持部６７で回転可能に支持された規制部材６６を設けている。規制部材６６は、先端部に可動アーム１９のローラ１６Ａによって駆動される作動部６６Ａを備え、後端部には外方通路８０の側面に対応して、固定側壁１５の案内面１５Ｂに形成した凹部１５Ｈに進入する突起部６６Ｂを備えており、突起部６６Ｂがベース部材４の上壁の孔４Ｔ（この場合の孔は長孔となる）を貫通して、固定部１５に形成した凹部１５Ｈに位置する状態と、一点鎖線で示すように、凹部１５Ｈから外方通路８０へ突出する位置へ作動するように、コイルバネ６８によって付勢されている。
【００６９】
突起部６６Ｂが凹部１５Ｈから外方通路８０へ突出するとき、送出ロータ７に当接しない状態であれば、外方通路８０に対応する孔４Ｔは、送出ロータ７の下面側に対応した位置であってもよいが、実施例では、外方通路８０に対応する孔４Ｔの位置は、送出ロータ７の外周面を僅かに外れた場所に形成されている。突起部６６Ｂは、メダル１００との接触抵抗を考慮して、円筒状ローラ６６Ｂ１を備えた構成である。
【００７０】
規制部材６６は、可動体１６と連動して作動するようにするために、メダル１００が通路規制部８１へ到達する前の待機状態では、コイルバネ１７の引っ張り力がコイルバネ６８の引っ張り力に勝って、図１３の実線に示すように、可動アーム１９の腕のローラ１６Ａに当接した規制部材６６が回動して、突起部６６Ｂの円筒状ローラ６６Ｂ１が、外方通路８０へ突出しない退避状態となるように、凹部１５Ｈに侵入した状態である。
【００７１】
上記のように、送出ロータ７の回転に伴って順次押し出されるメダル１００は、通路規制部８１を通過するごとに、図１３の一点鎖線に示すように、バネ１７の引っ張り付勢に抗してローラ１６Ａを押し退け退避させつつ通過する。このローラ１６Ａの退避に伴って、可動アーム１９のローラ１６Ａが規制部材６６の作動部６６Ａを押す作用力が緩くなり、図１３の一点鎖線に示すように、規制部材６６はコイルバネ６８の引っ張り力によって軸支持部６７を中心として回動する。この回動によって、規制部材６６のローラ６６Ｂ１を含む突起部６６Ｂが、外方通路８０へ突出する状態となる。
【００７２】
このメダル１００は図３に先行メダル１００（ハ）で示しており、メダル１００（ハ）の直径部が通路規制部８１を通過すると、可動体１６がバネ１７の引っ張り付勢の復帰力によって復帰すると共に、そのメダル１００（ハ）が送出通路１３へ弾き飛ばされる。このとき後続のメダル１００は図３に後続メダル１００（イ）で示しており、まだ規制部材６６のローラ６６Ｂ１を含む突起部６６Ｂには到達していない位置である。
【００７３】
メダル１００（ハ）が送出通路１３へ弾き飛ばされることによって、可動体１６がバネ１７の引っ張り付勢の復帰力によって復帰する。このため、上述のように、規制部材６６の先端の作動部６６Ａが、可動アーム１９の腕のローラ１６Ａによって押され、規制部材６６は、図１３の実線に示す状態へ、軸支持部６７を中心として回動し、後続メダル１００（イ）が通路規制部８１へ到達する前の待機状態に復帰、即ち、突起部６６Ｂの円筒状ローラ６６Ｂ１が、外方通路８０へ突出しない退避状態となるように、凹部１５Ｈに侵入した状態に復帰する。作動部６６Ａが可動アーム１９のローラ１６Ａによってスムースに押されるようにするために、作動部６６Ａの先端には先端に向けた傾斜面６６Ａ１を形成している。
【００７４】
送出ロータ７の回転に伴って後続メダル１００（イ）が通路規制部８１へ到達し通過することによって、上記同様の動作が行なわれ、可動アーム１９の往復動作に伴って、規制部材６６が軸支持部６７を中心として往復回動する。
【００７５】
送出ロータ７の回転に伴って、このような動作が連続して行なわれることによって、順次メダル１００が通路規制部８１を通過しつつ、送出通路１３へ弾き飛ばされる。このため、可動体１６の正規の往復動作では、規制部材６６のローラ６６Ｂ１を含む突起部６６Ｂが外方通路８０から退避して、メダル１００の通過を阻止しない。
【００７６】
ここで、金属や合成樹脂等の板状や棒状の不正操作部材によって、送出出口１４を通して可動体１６のローラ１６Ａが押されて、図１３の一点鎖線のように回動した退避状態のままに保持された場合、即ち、可動体１６が正規の動作時間を越えて退避した状態を継続するとき、規制部材６６のローラ６６Ｂ１を含む突起部６６Ｂが、外方通路８０へ突出した状態のままとなる。このため、後続メダル１００（イ）が規制部材６６のローラ６６Ｂ１を含む突起部６６Ｂに衝突し、通路規制部８１へ到達することを阻止する。
【００７７】
そして、実施例１同様に、後続メダル１００（イ）とそれ以降のメダル１００が、分離孔１０に収容された状態を継続して、送出ロータ７と共に回転する場合、または、送出案内ピン７０に乗り上げた状態のままで停止し、送出ロータ７の回転がロック状態となる。このような場合の動作も、上記実施例１と同様である。
【００７８】
図１４に示すように、遊技機１にはコイン状部材の貸機であるメダルの貸機ＭＫが併設されるタイプがある。メダル貸機ＭＫは、遊技用メダル１００の供給を受けるために前面の挿入口１１１から挿入された紙幣や有価カード等の薄片の識別機能を有する薄片識別装置１１０と、この薄片の挿入によって所定枚数のメダル１００を払い出すメダル送出装置２と、電装部６０等が収納されている。メダル貸機ＭＫは、単に貸機と称する場合があり、また、遊技機１相互間に配置されるため台間貸機とも称される。各遊技機１にそれぞれ貸機ＭＫが併設配置され、この形態は一つの島を形成する状態であるため、これを遊技装置の島、遊技島と称している。遊技機１と貸機ＭＫは、遊技島の外観形成を整えるために略同一高さに形成されている。
【００７９】
有価カードとしては、プリペイドカード、その他のカード等の如くカードに貨幣価値が記憶されたものであり、このカードを薄片識別装置１１０に挿入することによって、メダル貸機ＭＫからメダル１００の供給を受けることができるものである。また、メダル貸機ＭＫは、その内部の上部に薄片の一つである紙幣の真偽を識別する薄片識別装置１１０が配置され、下部にコイン状部材送出装置である上記同様のメダル送出装置２が配置され、そして中間部に電装部６０が配置されている。
【００８０】
薄片挿入口１１１から挿入された紙幣の真偽判別を薄片識別装置１１０で行い、識別した真正紙幣は前記遊技島の裏側に設置した薄片搬送装置（図示せず）によって、前記遊技装置の島の端部に設けた金庫へ搬送される仕組みである。メダル貸機ＭＫに適用可能な紙幣は、例えば、１０００円以外に、２０００円、５０００円、１００００円の紙幣の一つ又は複数とすることもできる。
【００８１】
電装部６０は、薄片識別装置１１０とメダル送出装置２等に電気的に接続されている。このため電装部６０は、紙幣挿入口１１１から挿入され薄片識別装置１１０にて識別された真正紙幣の金額データの読み込み制御や、この金額データをメダル貸機ＭＫの前面板に設けた表示器に表示させる制御や、この真正紙幣の金額に対応してメダル送出装置２から所定数のメダルを払い出す制御（実施例では、最低購入単位として１０００円分で５０枚のメダルを払い出す）や、このメダル送出装置２から払い出すメダル数をメダル貸機ＭＫの前面に設けた表示器に表示させる制御や、貯蔵容器（ホッパ）５Ｐの収納メダルの不足状態を検知する残量検知部ＥＳで検知しＬＥＤ等の表示部等で報知する制御や、後述のように残量検知部ＥＳが最低残量を検知したとき、それ以降何回まで正規のメダル払い出しを行うかの制御を行う制御回路を備えた制御部６１を含む。メダル送出装置２から送出されるメダル１００は、ノズル２Ｎを通して貸機ＭＫの前面から遊技機１の前面のメダル受け皿１Ｄに払い出される。
【００８２】
上記のメダル貸機ＭＫは、メダル送出装置２から送出されるメダル１００が、ノズル２Ｎを通して貸機ＭＫの前面から遊技機１の前面のメダル受け皿１Ｄに払い出される仕組みであるが、図１５に示すように、メダル送出装置２から送出されるメダル１００が、貸機ＭＫの前面に設けたメダル受け皿５１に払い出される仕組みでもよい。
【００８３】
この図１４または図１５に示すいずれのタイプの場合も、メダル送出装置２の動作、及び不正操作におけるメダル送出阻止動作などは、上記同様である。
【産業上の利用可能性】
【００８４】
本発明は、上記実施形態に限定されず、本発明の技術的範囲を逸脱しない限り種々の変更が考えられ、それに係る種種の実施形態を包含するものである。
【図面の簡単な説明】
【００８５】
【図１】本発明に係るコイン状部材送出装置の上面斜視図である。（実施例１）
【図２】本発明に係るコイン状部材送出装置の貯蔵容器（ホッパ）と送出部カバーを外した上面斜視図である。（実施例１）
【図３】本発明に係るコイン状部材送出装置の貯蔵容器（ホッパ）と送出部カバーを外した上面図である。（実施例１）
【図４】本発明に係るコイン状部材送出装置の送出ロータとロータガイドリングの関係を示す断面図である。（実施例１）
【図５】本発明に係る送出ロータの分離孔部分の裏側斜視図である。（実施例１）
【図６】本発明に係るコイン状部材の通過阻止装置の説明用平面図である。（実施例１）
【図７】本発明に係るコイン状部材の通過阻止装置の待機状態を説明する側面図である。（実施例１）
【図８】本発明に係るコイン状部材の通過阻止装置の動作状態を説明する側面図である。（実施例１）
【図９】本発明に係る検出部を示す斜視図である。（実施例１）
【図１０】本発明に係るコイン状部材の検出部の構成を断面で示す側面図である。（実施例１）
【図１１】本発明に係る検出部をメダルが通過する通過時間とクロックパルスの関係を示す説明図である。（実施例１）
【図１２】本発明に係るコイン状部材送出装置を備えた遊技機の開扉正面斜視図である。（実施例１）
【図１３】本発明に係るコイン状部材の通過阻止装置の他の形態を示す説明用平面図である。（実施例２）
【図１４】本発明に係るコイン状部材送出装置を備えたメダル貸機と遊技機の併設状態を示す正面図である。（実施例１）
【図１５】本発明に係る他の形態のメダル貸機の正面斜視図である。（実施例１）
【符号の説明】
【００８６】
１・・・・遊技機
２・・・・コイン状部材送出装置
４・・・・ベース部材
５・・・・コイン状部材の収容部
５Ｐ・・・貯蔵容器（ホッパ）
７・・・・送出ロータ
８・・・・電動機装置
９・・・・回転軸
１０・・・分離孔
１３・・・送出通路
１５・・・固定側壁
１６・・・可動体
１６Ａ・・可動体のローラ
１６Ｂ・・作動部
１７・・・バネ
１９・・・可動アーム
２０・・・ロータガイドリング
２０Ｃ・・切り欠き
２１・・・係止爪部
２３・・・検出部
２３Ｐ・・発光部
２３Ｑ・・受光部
２３Ｗ・・・検出部
２４Ａ、２４Ｂ・・・発光部
２５Ａ、２５Ｂ・・・受光部
２６・・・固定側壁
６１・・・制御部
６６・・・規制部材
６６Ａ・・作動部
６６Ｂ・・突起部
７０・・・送出案内ピン
８０・・・外方通路
８１・・・通路規制部
１００・・コイン状部材
１１０・・薄片識別装置
ＭＫ・・・メダル貸機
【図１】
2008171136.tif 000003
【図２】
2008171136.tif 000004
【図３】
2008171136.tif 000005
【図４】
2008171136.tif 000006
【図５】
2008171136.tif 000007
【図６】
2008171136.tif 000008
【図７】
2008171136.tif 000009
【図８】
2008171136.tif 000010
【図９】
2008171136.tif 000011
【図１０】
2008171136.tif 000012
【図１１】
2008171136.tif 000013
【図１２】
2008171136.tif 000014
【図１３】
2008171136.tif 000015
【図１４】
2008171136.tif 000016
【図１５】
2008171136.tif 000017